(57)【要約】      （修正有）【課題】針穴を設けたプラスチックにより針山を構成することで、縫い針の収納管理を容易にする針山容器を提供する。【解決手段】針山１００をプラスチック製とした。このプラスチック本体１には、縦横規則的に縫い針を収納可能な針穴部２Ａ〜２Ｅを設けた。針穴部２Ａ〜２Ｅは、縫い針の大きさや種類によって定まる深さの針収納孔（空開口空間）を持ち、対応する縫い針を収納する。針収納孔の深さは、収納する縫い針の長さよりも1ｃｍ程度短くすることにより、針の取り出し、収納が容易となる。更に針保持部を設けたり、表示部を設けたりすることで、利便性が高まる。【選択図】図１
0003171459.tif 000002
【実用新案登録請求の範囲】
【請求項１】
容器本体と、この容器本体に設けられた、収納すべき縫い針の長さよりも短い長さの針収納孔を持つ、縫い針対応の複数の縫い針の針穴部とを具えた針山容器。
【請求項２】
容器本体と、この容器本体に設けられた、収納すべき縫い針の長さよりも短い長さの収納孔を持つ、縫い針対応の複数の縫い針の針穴部と、この針穴部に設けられた縫い針を保持する縫い針保持部とを具える縫い針の針山容器。
【請求項３】
上記容器本体がプラスチック材より成る請求項１又は２記載の縫い針の針山容器。
【請求項４】
上記複数の針穴部は、容器本体の面上にその面から底部に治って縦横規則的に配列されたものとする請求項１〜３のいずれかに記載の縫い針の針山容器。
【請求項５】
上記縦横規則的に配列された針穴部の面上には、収納する縫い針の長さ又は種類に応じてその旨の表示された表示部を持つ請求項４記載の縫い針の針山容器。
【請求項６】
上記複数の針穴部の針入口部はラッパ状の開口とする請求項１〜５のいずれかに記載の縫い針の針山容器。
【請求項７】
上記縫い針保持部は、その針穴部の入口から底までのいずれかの針穴開口空間位置に形成された発泡樹脂層とする請求項１〜６のいずれかに記載の縫い針の針山容器。
【請求項８】
上記縫い針保持部は、その針穴部の入り口から底までのいずれかの針穴開口位置に形成された布状体とする請求項１〜６のいずれかの記載の縫い針の針山容器。
【請求項９】
上記縫い針保持部は、その針穴部の入り口から底までのいずれかの位置に設けた縫い針吸着用の磁性体とする請求項１〜６のいずれかに記載の縫い針の針山容器。
【請求項１０】
上記容器本体は、直方体又は、底部が平坦で山形の凸部を持つまんじゅう形状体とし、その表面複数の針穴部を形成したものとする請求項１〜９のいずれかに記載の縫い針の針山容器。
【請求項１１】
上記容器本体は、内部にクッション材を有する布状体とし、この布状体にラッパ状の入口開口を有する複数のプラスチック製針収納具を差し込んでなる針山容器。
【考案の詳細な説明】
【技術分野】
【０００１】
本考案は、複数種類の縫い針を収納する縫い針の針山容器に関する。
【背景技術】
【０００２】
針山は、木綿布地で作られた円形、円錐又は四角形状体であって、その内部に綿などのクッション材が挿入されている。木綿布地を通してクッション材に縫い針を突きさし、縫い針の保持を行う。
【０００３】
針山は、短い縫い針がクッション材内にもぐり込んでしまう事例が発生する。そこで、改良例として、特許文献１がある。
【０００４】
特許文献１は、断面径が縫い針の長さより短い紐体の針山を開示する。紐体を種々な形状とすることで、種々の長さの縫い針の収納を目指す。
【先行技術文献】
【特許文献】
【０００５】
特開２００５−１７６９９１号公報
【考案の概要】
【考案が解決しようとする課題】
【０００６】
針山は、縫い針の収納保管と共に、使用者が縫い物時に手元に置いて手軽に縫い針を出し入れするための手元道具でもある。また使用中又は使用予定の針の種類や本数が、手元で把握可能であれば、作業効率上、安全上、有益である。
【０００７】
従来の針山は、こうした考慮がなされておらず、針山にどのような種類の、どのような長さの針が、収納されているか、把握しづらかった。
【０００８】
本考案の目的は、縫い針の収納保管が容易で、作業効率もよく、安全管理もしやすい縫い針の針山容器を提供するものである。
【課題を解決するための手段】
【０００９】
本考案は、容器本体と、この容器本体に設けられた、収納すべき縫い針の長さよりも短い長さの針収納孔を持つ、縫い針対応の複数の縫い針の針穴部とを具えた針山容器を開示する。
【００１０】
更に本考案は、容器本体と、この容器本体に設けられた、収納すべき縫い針の長さよりも短い長さの収納孔を持つ、縫い針対応の複数の縫い針の針穴部と、この針穴部に設けられた縫い針を保持する縫い針保持部とを具える縫い針の針山容器を開示する。
【００１１】
更に本考案は、上記容器本体がプラスチック材より成る縫い針の針山容器を開示する。
【００１２】
更に本考案は、上記複数の針穴部は、容器本体の面上にその面から底部に治って縦横規則的に配列されたものとする縫い針の針山容器を開示する。
【００１３】
更に本考案は、上記縦横規則的に配列された針穴部の面上には、収納する縫い針の長さ又は種類に応じてその旨の表示された表示部を持つ縫い針の針山容器を開示する。
【００１４】
更に本考案は、上記複数の針穴部の針入口部はラッパ状の開口とする縫い針の針山容器を開示する。
【００１５】
更に本考案は、上記縫い針保持部は、その針穴部の入口から底までのいずれかの針穴開口空間位置に形成された発泡樹脂層とする縫い針の針山容器を開示する。
【００１６】
更に本考案は、上記縫い針保持部は、その針穴部の入り口から底までのいずれかの針穴開口位置に形成された布状体とする縫い針の針山容器を開示する。
【００１７】
更に本考案は、上記縫い針保持部は、その針穴部の入り口から底までのいずれかの位置に設けた縫い針吸着用の磁性体とする縫い針の針山容器を開示する。
【００１８】
更に本考案は、上記容器本体は、直方体又は、底部が平坦で山形の凸部を持つまんじゅう形状体とし、その表面複数の針穴部を形成したものとする縫い針の針山容器を開示する。
【００１９】
更に本考案は、上記容器本体は、内部にクッション材を有する布状体とし、この布状体にラッパ状の入口開口を有する複数のプラスチック製針収納具を差し込んでなる針山容器を開示する。
【考案の効果】
【００２０】
本考案によれば複数の針収納部に縫い針を収納できかつその収納孔の外側に針の頭部が露出することから、針の把持がしやすく、針の収納部からの取り出しも容易となり、且つ針が収納されていることが一目瞭然とわかることになり、針管理が容易となった。
【００２１】
更に本考案によれば、複数の針収納部に縫い針を収納でき、またその保持部によって縫い針を保持でき、縫い針の保管管理が容易になった。
【００２２】
更に本考案によれば、保持部を発泡樹脂層や布状体で形成し、縫い針をそこに突きさすことで、安定した保持が可能になった。
【００２３】
更に本考案によれば、針穴部が、縦横規則的に配列され、またその近くの位置に、収納する針の長さ又は種類に応じてその旨の表示された表示部を持つことにより、針の管理を適格に行えるようになった。
【図面の簡単な説明】
【００２４】
【図１】本考案の針山の実施例外観図である。
【図２】図１の針山の縦断面図である。
【図３】針収納例を示す図である。
【図４】本考案の針山の表示部を持つ実施例の外観図である。
【図５】本考案の針山の布状体設置の断面図である。
【図６】本考案の針山の発泡樹脂層設置の断面図である。
【図７】本考案の針山の磁石設置の断面図である。
【図８】本考案の針収納パーツ例を示す図である。
【図９】本考案の針収納パーツの収納可能な布状体針山例を示す図である。
【考案を実施するための形態】
【００２５】
図１は、縫い針の針山の実施例図である。縫い針の針山容器１００は、その本体１がプラスチック製であり、形状は、直方体とした。縦×横×高さが、１０ｃｍ×１５ｃｍ×８ｃｍ程度とした。本体１には、縦横規則的に配列した縫い針の針穴部２Ａ〜２Ｅが形成されている。図は、針穴数は４×５の個数例を示した。
【００２６】
針穴部２Ａ〜２Ｅは、それぞれ長さと種類の異なる縫い針を収納する。
【００２７】
縫い針は、裁縫に使用する針であり、本来は糸を通す穴を持つものが縫い針と呼ばれているが広義には、裁縫に使用する各種の針を指す。
【００２８】
本来の縫い針・・・頭部先端に糸通り孔があり、長さと大きさで規定された各種のサイズを持つ。例えば、長縫い針は４．５ｃｍの長さ、小縫い針は４ｃｍの長さの針がある。太さも種々ある。
【００２９】
待ち針・・・頭部先端に糸通し孔を持たない針であり、布同士の一時的な止めなどに使用する針である。待ち針には、つかみやすくするためのヘット部を持つもの、持たないもの、長さもピンなどの如く短いものから、縫い針の如く長いものもある。太さも種々である。
【００３０】
ミシン針・・・ミシンに使用する針である。縫い針が手縫い用とすると、ミシン針はミシンにセットして使用する針である。ミシン針は、糸通し孔が尖利先端側にあるのが、特徴である。長さや太さも布地によって種々存在する。
【００３１】
図２は図１の針山の縦断面図である。針穴を見やすくするため、針穴部は拡大してある。図２の断面図で示すように、針穴部２Ａ〜２Ｅは、縫い針を規則正しく収納するための収納部であり、特に針の長さに応じた深さの針収納孔である開口空間２Ａ１〜２Ｅ１を持つ。図２では２Ａと２Ｅが同一深さ、２Ｂ、２Ｃ、２Ｄの順に浅くした事例を示した。針自体の太さは種々あるが、この太さに応じたサイズ径とする事例、サイズ径の差異に関係なく、例えば最大太さの針を基準とする一定大きさとした事例、との両事例採用可能である。
【００３２】
針穴部２Ａ〜２Ｅの深さは、収納すべき針の長さよりも１ｃｍ程度短くすることが好ましい。針の頭部側が本体１の表面から１ｃｍ程度露出させるためである。この針の収納例を図３に示す。針２Ａの頭部２ａが外部に露出していることがわかる。針の出し入れの容易さ、目視によって針穴部に針が収納されていることの確認を容易にできる利点を持つ。
【００３３】
針穴部２Ａ〜２Ｅの穴開口空間２Ａ１〜２Ｅ１は、針挿入入り口から穴底部にかけて針径サイズよりも若干大きいサイズとしてもよいが、針の保持姿勢を垂直に保つためには穴底部に近づくに従って径サイズを小さくなるように形成してもよい。
【００３４】
針穴部２Ａ〜２Ｅは、例えば２Ａを長縫い針用、２Ｂを短縫い針用、２Ｃを待ち針用、２Ｄをミシン針用として形成した。この場合、２Ａ、２Ｂ、２Ｃ、２Ｄの近傍に、長縫い針用、短縫い針用、待ち針用、ミシン針用との文字又は図柄を印字した表示部を設けておくことで、針の管理が容易となる。
【００３５】
図４は、かかる表示部１０の実施例図である。表示部１０は、針穴部２Ａ〜２Ｅ対応の表示部１０Ａ〜１０Ｅより成る。この表示部１０Ａ〜１０Ｅには文字又は文字以外に針の外観を示すシンボル図形を表示する。また、表示部は、電子式の例でもよい。
【００３６】
針穴部２Ａ〜２Ｅは、その穴の開口空間の所定位置に針保持部を持つ。この針保持部は、針穴部２Ａ〜２Ｅに挿入した針が外部に容易に抜け落ちないようにするための保持手段である。針が外部に抜け落ちることは危険であること、本体１が横倒しになっても外部に針が抜け落ちないようにすること、がねらいである。
【００３７】
針保持部は、以下に示す複数の実現手段によって達成可能である。
【００３８】
（１）布地を穴開口空間の断面方向にはりつけた例。
この実施例を図５に示す。４Ａ〜４Ｅがはりつけた布地を示す。図では厚みを持っているが、厚みは小さく通常の布地でもよい。布地の材質は木綿、化繊のいずれでもよい。粗い織り目の布地よりも細かい織り目の布地がよく、針が突きささってとれにくい程度の織り目であればよい。布地の設置位置は、図５に示すように穴開口空間入口部、即ち本体１の表面に沿って接着剤にてはりつけた事例が好ましい。布地のはりつけが容易なためである。布地の代わりに、薄い厚みのゴムでもよく、これらは、いずれも布状体と定義可能な素材である。本体１の表面以外の中間位置や底部などの位置設置もありうる。
【００３９】
（２）発砲樹脂層を開口空間の所定位置に設けた例。
その実施例を図６に示す。３Ａ〜３Ｅがウレタン等の発泡樹脂であり、底部に埋め込んだ例を示した。ウレタン等の発泡樹脂は、針が突きさしやすく、且つ抜くのも簡単であり、且つ簡単には外部に抜け落ちることはない、保持力のある素材である。その設置位置は、図６に示すように穴開口空間の底部が好ましい。勿論、布地と同じく、本体１の表面又はその近傍に発泡樹脂層を接着固定させるやり方や、中間位置に設ける例もある。
【００４０】
（３）磁化力の小さい磁石層を設ける例。
その実施例が図７である。５Ａ〜５Ｅが開口空間の底部に埋め込んだ磁石層である。針は金属である故に、保持部を磁石層で実現できる。磁石層５Ａ〜５Ｅの設置位置は、図７のように開口空間底部に設置する例の他に、開口側面に設置する例もある。また円板型であってその真中に針を通すための孔がある形状の磁石も使用可能であり、この場合は、側面ではなく、開口空間の断面方向に沿って配置すればよい。
【００４１】
（４）発泡樹脂層を底部に埋め込んだ事例にあっては、穴の深さは、この発泡樹脂層の厚さによって調整可能である。従って、穴の深さを等しいものとし、実質深さを発泡樹脂層の厚さで調整する。勿論、穴の深さを針に応じて設定し、発泡樹脂層を設ける事例もある。
【００４２】
以上の実施例では、針穴部２Ａ〜２Ｅの開口入口は平坦な穴形状としたが、針の出し入れを更にしやすくするためにラッパ形状にするやり方もある。また、このラッパ形状部を表面部の平面から上部に突出させる（例えば５ｍｍ程度）やり方もある。針の出し入れが更に容易となり、保全もしっかりしたものとなる。
【００４３】
図８は、ラッパ状入口部６ａ〜６ｅを持つ収納パーツ６Ａ〜６Ｅを示した。収納容器１００は、針穴部として、均一な形状構成とし、この針穴部に、収納パーツ６Ａ〜６Ｅを挿入可能としたものである。収納パーツ６Ａ〜６Ｅが針の長さ対応の開口空間を持っており、このパーツ６Ａ〜６Ｅを収納容器の均一な針穴部を任意に選択して取り付ける。かかる事例は、使用者が部品としての収納部品７Ａ〜７Ｄを必要な数だけ、必要な場所に自在に取り付けて使用できるとの利点がある。
【００４４】
図９は、従来の布製の針山２００に、図８の収納パーツを埋め込んだ例である。布製の針山２００は、内部に線や毛髪などのクッション材が入っており、布の表面に穴７Ａ〜７Ｅを設け、ここから収納パーツを埋め込んで使用する。    
【符号の説明】
【００４５】
１    針山本体    
２Ａ〜２Ｅ    針穴部
２Ａ１〜２Ｅ１    針収納孔である穴開口空間
２ａ    縫い針
３Ａ〜３Ｄ    発泡樹脂層
４Ａ〜４Ｅ    布状体
５Ａ〜５Ｅ    磁石層
６Ａ〜６Ｅ    針収納パーツ
１００    針山
【図１】
0003171459.tif 000003
【図２】
0003171459.tif 000004
【図３】
0003171459.tif 000005
【図４】
0003171459.tif 000006
【図５】
0003171459.tif 000007
【図６】
0003171459.tif 000008
【図７】
0003171459.tif 000009
【図８】
0003171459.tif 000010
【図９】
0003171459.tif 000011
【手続補正書】
【提出日】平成23年8月31日(2011.8.31)
【手続補正１】
【補正対象書類名】実用新案登録請求の範囲
【補正対象項目名】全文
【補正方法】変更
【補正の内容】
【実用新案登録請求の範囲】
【請求項１】
容器本体と、この容器本体に設けられた、収納すべき縫い針の長さよりも短い長さの針収納孔を持つ、縫い針対応の複数の縫い針の針穴部とを具えた針山容器。
【請求項２】
容器本体と、この容器本体に設けられた、収納すべき縫い針の長さよりも短い長さの収納孔を持つ、縫い針対応の複数の縫い針の針穴部と、この針穴部に設けられた縫い針を保持する縫い針保持部とを具える縫い針の針山容器。
【請求項３】
上記容器本体がプラスチック材より成る請求項１又は２記載の縫い針の針山容器。
【請求項４】
上記複数の針穴部は、容器本体の面上にその面から底部に治って縦横規則的に配列されたものとする請求項１〜３のいずれかに記載の縫い針の針山容器。
【請求項５】
上記縦横規則的に配列された針穴部の面上には、収納する縫い針の長さ又は種類に応じてその旨の表示された表示部を持つ請求項４記載の縫い針の針山容器。
【請求項６】
上記複数の針穴部の針入口部はラッパ状の開口とする請求項１〜５のいずれかに記載の縫い針の針山容器。
【請求項７】
上記縫い針保持部は、その針穴部の入口から底までのいずれかの針穴開口空間位置に形成された発泡樹脂層とする請求項１〜６のいずれかに記載の縫い針の針山容器。
【請求項８】
上記縫い針保持部は、その針穴部の入り口から底までのいずれかの針穴開口位置に形成された布状体とする請求項１〜６のいずれかの記載の縫い針の針山容器。
【請求項９】
上記縫い針保持部は、その針穴部の入り口から底までのいずれかの位置に設けた縫い針吸着用の磁性体とする請求項１〜６のいずれかに記載の縫い針の針山容器。
【請求項１０】
上記容器本体は、直方体又は、底部が平坦で山形の凸部を持つまんじゅう形状体とし、その表面複数の針穴部を形成したものとする請求項１〜９のいずれかに記載の縫い針の針山容器。
【請求項１１】
上記容器本体は、内部にクッション材を有する布状体とし、この布状体にラッパ状の入口開口を有する複数のプラスチック製針収納具を差し込んでなる請求項１記載の針山容器。